(57)【特許請求の範囲】
【請求項１】
錠箱に設けた反転型ラッチ１１と、この反転型ラッチの後端部に位置するラッチバネ１２と、このラッチバネのバネ力に抗して後退動可能な水平作動杆１３と、錠箱内に軸支された反転型ラッチ用ロック片１４と、この反転型ラッチ用ロック片の後端部に形成された弧状被係合部１４ａと前記水平作動杆との間に設けられ、かつ前記弧状被係合部と摺接する係合突起２２ａを有する係合部分２２、前記水平作動杆に形成された押動部分１３ａに当接する当接部２３、この当接部に連設するバネ端連結部２４を有するダルマ１５と、前記バネ端連結部に一端部が連結されていると共に、他端部は錠箱内のバネ端支持部材１６に連結され、かつ前記ダルマと共に施錠位置から解錠位置へと変位するクリック機能を有するばねとを備えたラッチ錠のロック装置であり、
前記反転型ラッチが、戸枠側から閉扉力を受けると錠箱３内へと後退動し、この後退動に連動して前記水平作動杆が後退動すると、前記ダルマは水平作動杆の押動部分に押されて解錠状態となると共に、該解錠状態は前記クリック機能を有するばねのバネ力により保持され、また前記反転型ラッチ用ロック片１４は、前記係合突起２２ａが前記弧状被係合部１４ａを摺接することにより、前記反転型ラッチ１１のロックを解くことを特徴とするラッチ錠のロック装置。
【請求項２】
請求項１に於いて、閉扉時、操作者がダルマを操作すると、ダルマはクリック機能を有するばねと共に解錠状態から施錠状態へと位置変位し、同時に反転型ラッチ用ロック片が係止方向へと回転して、その先端部の係止部が反転型ラッチの後端部の被係合部に係合することを特徴とするラッチ錠のロック装置。
【発明の詳細な説明】
【技術分野】
【０００１】
本発明は、建具の扉に取付けられ、「締め出し防止」や「閉じ込め防止」を図ることができるラッチ錠のロック装置に関する。
【背景技術】
【０００２】
特許文献１及び特許文献２は、出願人が提案した反転型ラッチを用いたラッチ機構が開示されている。また、特許文献３は、他社が提案したドア錠であるが、図８等には、ラッチ枠内の係止部材の係止状態が解かれると、ラッチが回転しながら錠箱内へ後退できる旨（反転型ラッチを用いたドア錠）が記載されている。このように、開扉時、ラッチは係止部材或いはロック片によるラッチの拘束が解かれると、回転しながら後退できる事項は、周知の事項である。
【０００３】
一方、特許文献４には、「錠箱にラッチの後方に水平方向に後退動自在に水平作動杆を配設すると共に、該水平作動杆に係合するサムターンダルマ用リリース構成部材を組み込み、室内扉の閉戸時、前記ラッチが戸枠の縁に当って後退すると、リリース構成部材が水平作動杆の後退動に協働して前記サムターンダルマの駆動腕を、復帰バネを備えたロック片から引き離し、これにより、ラッチカム用ロック片が係合解除の方向へ移動することを特徴とする室内扉のサムターン錠の締め出し防止装置」が開示されている。
【０００４】
この特許文献４は出願人が開示したものである。特許文献４の発明の所期の目的は、トイレ、寝室などの室内の出入口に設けた室内扉に於いて、いわゆるインナーロックの場合に、鍵、ピン等を操作して解錠しなければならないので面倒であるため、室内扉を閉じた場合に於いて、ラッチが後退動すると、自動的にサムターン錠の施錠が解錠状態になることである。
【０００５】
特許文献４に記載の発明の目的は、錠前の分野では、斬新なものである。しかしながら、水平作動杆と関連と合うリリース構成部材が、水平作動杆に形成したレバー逃がし用切欠部の被係合面に先端部の係合爪部が係合するように軸支されたレバーと、このレバーの一端部に先端部側が係合するように設けられ、かつ、水平方向に摺動するスライダーとから構成されていることから、構造的にやや複雑であるという難点があった。そこで、もっとシンプルな締め出し防止装置を創作することが発明の課題となっている。
【特許文献１】特開平８−１００５５９号公報
【特許文献１】特開平１１−１４１２０７号公報
【特許文献３】実公平７−２６５２７号公報
【特許文献４】特開２００４−２０４６６０号公報
【発明の開示】
【発明が解決しようとする課題】
【０００６】
本発明の所期の目的は、構造を簡単にして、「締め出し」や「閉じ込め」の防止を図ることである。
【課題を解決するための手段】
【０００７】
本発明のラッチ錠のロック装置は、錠箱に設けた反転型ラッチ１１と、この反転型ラッチの後端部に位置するラッチバネ１２と、このラッチバネのバネ力に抗して後退動可能な水平作動杆１３と、錠箱内に軸支された反転型ラッチ用ロック片１４と、この反転型ラッチ用ロック片の後端部に形成された弧状被係合部１４ａと前記水平作動杆との間に設けられ、かつ前記弧状被係合部と摺接する係合突起２２ａを有する係合部分２２、前記水平作動杆に形成された押動部分１３ａに当接する当接部２３、この当接部に連設するバネ端連結部２４を有するダルマ１５と、前記バネ端連結部に一端部が連結されていると共に、他端部は錠箱内のバネ端支持部材１６に連結され、かつ前記ダルマと共に施錠位置から解錠位置へと変位するクリック機能を有するばねとを備えたラッチ錠のロック装置であり、前記反転型ラッチが、戸枠側から閉扉力を受けると錠箱３内へと後退動し、この後退動に連動して前記水平作動杆が後退動すると、前記ダルマは水平作動杆の押動部分に押されて解錠状態となると共に、該解錠状態は前記クリック機能を有するばねのバネ力により保持され、また前記反転型ラッチ用ロック片１４は、前記係合突起２２ａが前記弧状被係合部１４ａを摺接することにより、前記反転型ラッチ１１のロックを解くことを特徴とする。
【発明の効果】
【０００８】
特許文献１の問題点を解消することができる。すなわち、特許文献１のリリース構成部材のリリース機能を「ダルマ」に置換したので、極力シンプルな構造のラッチ錠のロック装置を提案することができる。したがって、部品の組み合わせ作業の向上化、コストの低減化等の利点を得ることができる。付言すると、本発明は、構造を簡単にして、「締め出し」や「閉じ込め」の防止を図ることができる。
【発明を実施するための最良の形態】
【０００９】
以下、図１乃至図５に示す本発明を実施するための最良の形態により説明する。
【００１０】
（１）図１乃至図３の説明
まず、図１乃至図３を参照にして、締め出し防止用ラッチ錠のロック装置Ｘの基本的な概念を説明する。図１は、閉扉時における解錠状態であり、トイレ、室内のある部屋等に入った人（図示しない操作者）が、まだダルマを施錠方向（反時計方向）へ回していない。この解錠状態では、例えばトイレの扉が、外にいる誰によって開けられる可能性がある。一方、前記操作者が該トイレから出た後も、この図１の解錠状態と成る（締め出し防止効果）。図２は、例えば操作者がトイレ内で、いわゆる用をたすためにサムターンダルマを施錠方向へと操作（この場合はサムターン摘みを操作）している途中の状態を示す。
【００１１】
この場合、操作者がトイレの外から合鍵でシリンダーダルマを施錠方向へと操作した場合も同様になる。そして、図３は、例えば操作者がトイレ内で用をたしている状態、つまり、サムターダルマが解錠位置から付勢バネと共に施錠状態へと位置変位したために、ラッチ錠のロック装置Ｘが施錠状態であることを示す。この場合、前述したように操作者がトイレ等の外から合鍵で操作した場合も同様である。このように、本発明のラッチ錠のロック装置Ｘは、閉扉時、ラッチがその傾斜面に戸枠側の縁部からの分力を受けて錠箱内へと後退しても、常に解錠状態となる。
【００１２】
（２）環境説明
図１ないし図３に於いては、１は扉、２は戸枠、３は錠箱である。さらに、本発明に関係する環境部分を簡単に説明すると、４は戸枠の受け金具、５は受け金具４を含む戸枠の縁部、６は錠箱のフロント部材、７はフロント部材の中央部に固定されたラッチ枠である。錠箱３は、周知のように、不番のケース身とケース蓋とから成り、フロント部材６に対して後壁８を有している。本明細書では、錠箱３は、その幅広側壁に水平ガイド９、弧状ガイド１０等を有するが、ラッチ枠７も含め、錠箱３やラッチ枠７の細部的な詳細説明を割愛する。なお、錠箱３やラッチ枠７には、軸孔、取付け穴、案内用切欠部分、取付け柱、水平作動杆用切欠部等が適宜に設けられている。さらに、錠箱３内には、本発明に加えて、把手部材用の動力伝達手段、係合手段等が適宜に配設されている。
【００１３】
（３）基本的な構成部材
以下、本発明の主たる構成部材を開示する。１１はフロント６の中央部に設けた反転型ラッチで、この反転型ラッチ１１は、「ラッチヘッド」とも称され、開扉時、反転方向（水平方向）への回転が許容されると、回転しながら錠箱内へ後退する。また、閉扉時、反転方向への回転が許容されない場合であっても、ロックされた状態で錠箱内へ後退することもできる。なお、反転型ラッチ１１の突出先端部側の係止面、傾斜面等や内端部側の支軸、被係止部等の具体的構成は、特許文献１、特許文献２等に記載の通りなので、ここでは詳細構造の説明は割愛する。
【００１４】
１２は反転型ラッチ１１の後端部に位置するラッチバネで、このラッチバネ１２の先端部は、前記反転型ラッチ１１の後端部のバネ端支持部に支持され、一方、他端部は水平作動杆１３の先端部のバネ端支持部に支持されている。付言すると、ラッチバネ１２は、反転型ラッチ１１の後端部の凹所とラッチ枠７の中央壁の切欠部に入り込んだ水平作動杆１３の先端部との間に弾装されている。
【００１５】
１３は錠箱３に幅広側壁に設けた水平ガイド９に案内されるようにラッチバネ１２の後方に配設された水平作動杆で、この水平作動杆１３は、反転型ラッチ１１が戸枠側の縁部５からの分力（ここでは、「閉扉力」という。）を受けて錠箱内へと後退すると、ラッチバネ１２のバネ力により後退する伝動スライダーである。そして、本実施例では、水平作動杆１３の略中央部の側面にダルマ用の押動部分１３ａが突設されている。このように、本実施例では、錠箱３に、そのフロント６側から後壁８側へ、少なくとも反転型ラッチ１１と、ラッチバネ１２と、水平作動杆１３とをそれぞれ一連に配設している。
【００１６】
１５は反転型ラッチ用ロック片と前記水平作動杆との間に軸支されたダルマ（サムターンダルマ、又は／及びシリンダーダルマ）で、このダルマ１５は、周知のように、室内側からはサムターンを構成するサムターン摘み、一方、室外側からはシリンダー錠を構成する合鍵等の操作部材の操作力によって施錠方向へと回動する。ここで、図４及び図５を参照にしてダルマ１５の構成を説明する。
【００１７】
符号２１はダルマ１５の中心部で、この中心部２１には軸方向に操作部材側の軸用係合孔が形成されている。また符号２２は、ダルマ１５の中心部２１の外周壁の中央から半径外方向に延在し、かつ反転型ラッチ用ロック片１４の後端部と摺接する係合突起２２ａを有する係合部分である。前記係合突起２２ａは、本実施例では、反転型ラッチ用ロック片１４の後端部に形成した弧状被係合部１４ａの受け面の曲率に沿って移動する。この係合部分２２は例えば左手の親指と人差し指とを開いた格好をしている。そして、弧状被係合部１４ａの受け面の曲率は、反転型ラッチ用ロック片１４の支軸１８を基準として、該反転型ラッチ用ロック片１４が回転することができるように適宜に設定されている。
【００１８】
また、符号２３は、ダルマ１５の中心部２１の外周壁の中央から半径外方向に延在し、かつ水平作動杆１３の押動部分１３ａに当接する垂直当接部で、この当接部２３は、図４で示すように係合突起２２ａとは反対側の方向に位置している。さらに、ダルマ１５は、当接部２３に連設する半径外方向の連設部位に突起ピン状のバネ端連結部２４を有している。
【００１９】
さらに、１６は錠箱３の後壁８付近に設けられた取付け柱状のバネ端支持部材である。付勢バネ１７は、ダルマ１５のバネ端連結部３４に、その一端部１７ａが連結されていると共に、他端部１７ｂは錠箱３のバネ端支持部材１６に連結されている。この付勢バネ１７は、いわゆる「クリック機能を有するめがねばね」とも称され、他端部１７ｂは常に所定位置にあるが、一端部１７ａ及びリング状ら見える中央部１７ｃが解錠位置から施錠位置へと変位する。付言すると、クリック機能を有するめがね形態の付勢バネ１７は、ダルマの係合突起２２ａと共に施錠位置から解錠位置へと変位する。
【００２０】
（４）作用
図１乃至図３を参照にして、主な作用について説明する。（１）の項で説明したように、図１は、閉扉時における解錠状態である。閉扉時、反転型ラッチ１１は、戸枠２側から閉扉力を受けると後退動する。そうすると、水平作動杆１３は、ラッチバネ１２のバネ力により、反転型ラッチ１１と共に錠箱３の後壁８側に後退する。水平作動杆１３が反転型ラッチ１１と共働して後退動すると、ダルマ１５は、水平作動杆１３の押動部分１３ａに押されて解錠状態となる。この時、このダルマ１５の解錠状態は、ダルマと共に位置変位した前記付勢バネ１７のバネ力により保持される。
【００２１】
図１では、付勢バネ１７の一端部１７ａは錠箱３の弧状ガイド１０に案内されて上方から下方へと位置変位したことを示している。これに対して、図３は、操作者がダルマ１５を図示しない操作手段を介して操作したので、図２の工程を経た後に、付勢バネと共に解錠位置から施錠状態へと位置変位し、ラッチ１１がロック片１４の先端部１４でロックされたことを示す。
【００２２】
以上のように、本発明のラッチ錠のロック装置Ｘは、閉扉時、ラッチ１１がその傾斜面に戸枠側の縁部５からの分力を受けて錠箱内へと後退しても、常に解錠状態となることから、「締め出し」や「閉じ込め」の防止を図ることができる。
【実施例】
【００２３】
発明の実施の形態で示した実施例に於いて、本発明の中心となる部材は、ダルマ１５であるが、このダルマ１５の形態は、本発明の所期の目的を得ることができる範囲に於いて、任意に設計変更可能である。
【産業上の利用可能性】
【００２４】
本発明は、主に建具や錠前の業界で利用される。
【図面の簡単な説明】
【００２５】
図１乃至図５は本発明の最良の実施例を示す各説明図。
【図１】閉扉時における解錠状態の説明図。
【図２】図１の状態に於いて、施錠方向へ作動している中途状態の説明図。
【図３】図１の解錠位置から施錠状態になった説明図。
【図４】ダルマの正面図。
【図５】図４を基準とする右側面図。
【符号の説明】
【００２６】
Ｘ…ラッチ錠のロック装置、１…扉、２…戸枠、３…錠箱、４…受け金具、５…戸枠の縁部、６…フロント部材、７…ラッチ枠、８…後壁、９…水平ガイド、１０…弧状ガイド、１１…反転型ラッチ、１２…ラッチバネ、１３…水平作動杆、１３ａ…押動部分、１４…反転型ラッチ用ロック片、１４ａ…弧状被係合部、１５…ダルマ、１６…バネ端支持部材、１７…付勢バネ、１７ａ…一端部、１７ｂ…他端部、１７ｃ…中央部、１８…支軸、２１…中心部、２２…係合部分、２２ａ…係合突起、２３…当接部、２４…バネ端連結部。
【図１】
0005122928.tif 000002
【図２】
0005122928.tif 000003
【図３】
0005122928.tif 000004
【図４】
0005122928.tif 000005
【図５】
0005122928.tif 000006